【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
複式クラッチ変速機のシフト事象のタイミングを制御する方法であって、
前記変速機の被駆動部材の現出力速度を感知するステップと、
前記変速機内で各可能なシフト事象を完了するのに要する時間を決定するステップと、
各可能なシフト事象に対する出力速度修正値を決定するステップと、
前記の決定された出力速度修正値と所定のシフト・パターン出力速度とを加算することによって、各可能なシフト事象に対する修正シフト・ポイント出力速度を決定するステップと、
前記現出力速度が前記の決定された修正シフト・ポイント出力速度に達したときにシフトを指令するステップと、
を備える方法。
【請求項２】
さらに、
各可能なシフト事象に対する出力速度修正値を連続的に再決定するステップと、
前記の決定された出力速度修正値とデータベースから取り出された所定のシフト・パターン出力速度とを加算することによって、各可能なシフト事象に対する修正シフト・ポイント出力速度を連続的に再決定するステップと、
を備える、請求項１に記載の方法。
【請求項３】
さらに、
車両の加速度を決定するステップと、
前記の決定された加速度と各可能なシフトを完了するのに要する前記の時間の和とに基づいて、各可能なシフト事象に対する出力速度修正値を決定するステップと、
を備える、請求項１に記載の方法。
【請求項４】
各可能なシフト事象を完了するのに要する時間を決定する前記ステップが、さらに、
次の高い及び低いギヤへのクラッチ切り換えを実行するのに要する時間を決定するステップと、
同期が必要か否かを決定するステップと、
同期装置がまだ選択されていなかったとき、次の高い及び低いギヤへの同期を完了するのに要する時間を決定するステップと、
次の高い及び低いギヤへのクラッチ切り換えを実行するのに要する前記の決定された時間と、次の高い及び低いギヤへの同期を完了するのに要する前記の決定された時間とを加算することによって、前記変速機において可能な各シフトを完了するのに要する合計時間を決定するステップと、
を備える、請求項１に記載の方法。
【請求項５】
クラッチ切り換えを実行するのに要する時間を決定する前記ステップが、
係合するクラッチの充填時間を決定するステップと、
離脱するクラッチから係合するクラッチへのトルク伝達を切り換えるのに要する時間を決定するステップと、
を備える、請求項４に記載の方法。
【請求項６】
同期を完了するのに要する時間を決定する前記ステップが、さらに、
ギヤ切り換えが行われるとき、特定のギヤ同期を完了するのに要する時間を測定して、その測定値をデータベースに初期記憶させるステップと、
同じ同期が次に行われるとき、前記変速機において同じ同期を完了するのに要する時間を測定するステップと、
測定された新たな同期時間と初期記憶された同期時間とを平均して平均同期時間を決定するステップと、
初期値の代わりに前記平均同期時間を前記データベースに格納するステップと、
同期装置が係合するたびに、前記平均同期時間を連続的に再決定するステップと、
前記データベースに最も新たに格納された平均同期時間を参照して、高レベル方法ステップが必要としたときに同期時間の値を識別し、もって実績のある且つ適応性のある同期時間を提供するステップと、
を備える、請求項４に記載の方法。
【請求項７】
変速機が高い方のギヤへシフトしているときに複式クラッチ変速機のシフト事象のタイミングを制御する方法であって、
前記変速機の被駆動部材の現出力速度を感知するステップと、
車両の加速度を決定するステップと、
現クラッチから次の高いギヤへのクラッチ切り換えを実行するのに要する時間を決定するステップと、
前記次の高いギヤへの同期を完了するのに要する時間を決定するステップと、
クラッチ切り換えを実行するのに要する前記の決定された時間と同期を完了するのに要する前記の決定された時間を加算することによって、前記次の高いギヤへのシフトを完了するのに要する合計時間を決定するステップと、
前記の決定された加速度とシフトを完了するのに要する前記合計時間とに基づいて、出力速度修正値を連続的に再決定するステップと、
前記の決定された現出力速度修正値と所定のシフト・パターン出力速度とを加算することによって、前記修正シフト・ポイント出力速度を決定するステップと、
前記現出力速度が前記の決定された修正シフト・ポイント出力速度以上になったとき、前記次の高いギヤへのシフトを指令するステップと、
を備える方法。
【請求項８】
クラッチ切り換えを実行するのに要する時間を決定する前記ステップが、さらに、
係合するクラッチの充填時間を決定するステップと、
離脱するクラッチから係合するクラッチへのトルク伝達を切り換える野に要する時間を決定するステップと、
を備える、請求項７に記載の方法。
【請求項９】
充填時間を決定する前記ステップが、格納されたルックアップ・テーブルから公知のクラッチ充填時間を識別するステップを含む、請求項８に記載の方法。
【請求項１０】
トルク伝達を切り換えるのに要する時間を決定する前記ステップが、格納されたルックアップ・テーブルから公知のクラッチ切り換え回数を識別するステップを含む、請求項８に記載の方法。
【請求項１１】
次に高いギヤの同期を完了するのに要する時間を決定する前記ステップが、格納されたルックアップ・テーブルから各ギヤの公知の同期時間を識別するステップを含む、請求項７に記載の方法。
【請求項１２】
次に高いギヤの同期を完了するのに要する時間を決定する前記ステップが、
ギヤ切り換えが行われるとき特定のギヤ同期を完了するのに要する時間を測定し、その値をデータベースに初期記憶するステップと、
同じ同期が次に行われるとき、前記変速機において同じ同期を完了するのに要する時間を測定するステップと、
測定された新たな同期時間と初期記憶された同期時間とを平均して平均同期時間を決定するステップと、
初期値の代わりに前記平均同期時間を前記データベースに格納するステップと、
同期装置が係合するたびに、前記平均同期時間を連続的に再決定するステップと、
前記データベースに最も新たに格納された平均同期時間を参照して、高レベル方法ステップが必要としたときに同期時間の値を識別し、もって実績のある且つ適応性のある同期時間を提供するステップと、
を備える、請求項７に記載の方法。
【請求項１３】
次の高いギヤへのシフトを指令する修正シフト出力を決定するステップが、ルックアップ・テーブルから所定のシフト・パターン出力速度を検索するステップを含む、請求項７に記載の方法。
【請求項１４】
変速機が低い方のギヤへシフトしているときに複合変速機のシフト事象のタイミングを制御する方法であって、
前記変速機の被駆動部材の現出力速度を感知するステップと、
車両の加速度を決定するステップと、
現ギヤから次の低いギヤへのクラッチ切り換えを実行するのに要する時間を決定するステップと、
次に低いギヤの同期を完了するのに要する時間を決定するステップと、
クラッチ切り換えを実行するのに要する前記時間と次の低いギヤの同期を完了するのに要する前記時間とを加算することによって、前記次の低いギヤへのシフトを完了するのに要する合計時間を決定するステップと、
前記の決定された加速度と次の低いギヤへのシフトを完了するのに要する前記合計時間とに基づいて、出力速度修正値を連続的に再決定するステップと、
前記の決定された現出力速度修正値と所定のシフト・パターン出力速度とを加算することによって、前記修正シフト・ポイント出力速度を決定するステップと、
前記現出力速度が前記の決定された修正シフト・ポイント出力速度より小さくなったとき、前記次の低いギヤへのシフトを指令するステップと、
を備える方法。
【請求項１５】
クラッチ切り換えを実行するのに要する時間を決定する前記ステップが、さらに、
係合するクラッチの充填時間を決定するステップと、
離脱するクラッチから係合するクラッチへのトルク伝達を切り換えるのに要する時間を決定するステップと、
を備える、請求項１４に記載の方法。
【請求項１６】
充填時間を決定する前記ステップが、格納されたルックアップ・テーブルから公知のクラッチ充填時間を識別するステップを含む、請求項１５に記載の方法。
【請求項１７】
トルク伝達を切り換えるのに要する時間を決定する前記ステップが、格納されたルックアップ・テーブルから公知のクラッチ切り換え時間を識別するステップを備える、請求項１５に記載の方法。
【請求項１８】
次の低いギヤの同期を完了するのに要する時間を決定する前記ステップが、格納されたルックアップ・テーブルから、入力軸に対する各ギヤの公知の同期時間を識別するステップを含む、請求項１４に記載の方法。
【請求項１９】
次の低いギヤの同期を完了するのに要する時間を決定する前記ステップが、さらに、
ギヤ切り換えが行われるとき、特定のギヤ同期を完了するのに要する時間を測定し、その値をデータベースに初期記憶するステップと、
同じ同期が次に行われるとき、前記変速機において同じ同期を完了するのに要する時間を測定するステップと、
測定された新たな同期時間と初期記憶された同期時間とを平均して平均同期時間を決定するステップと、
初期値の代わりに前記平均同期時間を前記データベースに格納するステップと、
同期装置が係合するたびに、前記平均同期時間を連続的に再決定するステップと、
前記データベースに最も新たに格納された平均同期時間を参照して、高レベル方法ステップが必要としたときに同期時間の値を識別し、もって実績のある且つ適応性のある同期時間を提供するステップと、
を備える、請求項７に記載の方法。
【請求項２０】
次の低いギヤへのシフトを指令する修正シフト・ポイント出力を決定するステップが、ルックアップ・テーブルから所定のシフト・パターン出力速度を検索するステップを含む、請求項１４に記載の方法。